(57)【要約】【課題】便器のボウルに供給されるオゾン水のオゾン濃度の低下を抑えることができる水洗便器を提供する。【解決手段】水洗便器１は、ボウル２を有する便器本体１０と、ボウル２に洗浄水を送る洗浄水供給路４を有し、この洗浄水供給路４を通じてボウル２に洗浄水を供給する洗浄水供給部３と、オゾン水を生成するオゾン水生成部５と、オゾン水生成部５で生成したオゾン水をボウル２に送るオゾン水供給路７を有し、このオゾン水供給路７を通じてボウル２にオゾン水を供給するオゾン水供給部６と、人体を検知する人体検知部８と、オゾン水生成部５でのオゾン水の生成を制御する制御部９とを備える。制御部９は、人体検知部８の人体検知を受けてオゾン水生成部５でのオゾン水の生成を開始させる。【選択図】図１
2014173339.tif 000002
【特許請求の範囲】
【請求項１】
ボウルを有する便器本体と、前記ボウルに洗浄水を送る洗浄水供給路を有し、この洗浄水供給路を通じて前記ボウルに洗浄水を供給する洗浄水供給部と、オゾン水を生成するオゾン水生成部と、前記オゾン水生成部で生成したオゾン水を前記ボウルに送るオゾン水供給路を有し、このオゾン水供給路を通じて前記ボウルにオゾン水を供給するオゾン水供給部と、人体を検知する人体検知部と、前記オゾン水生成部でのオゾン水の生成を制御する制御部とを備え、前記制御部は、前記人体検知部の人体検知を受けて前記オゾン水生成部でのオゾン水の生成を開始させることを特徴とする水洗便器。
【請求項２】
前記制御部は、さらに、前記洗浄水供給部からの前記ボウルへの洗浄水の供給又は供給停止と連動して前記オゾン水供給部からの前記ボウルへのオゾン水の供給時期を制御することを特徴とする請求項１に記載の水洗便器。
【請求項３】
前記オゾン水供給部のオゾン水供給路は、前記洗浄水供給部の洗浄水供給路の途中に接続されており、オゾン水が前記洗浄水供給路を経由して前記ボウルに供給されることを特徴とする請求項１又は２に記載の水洗便器。
【発明の詳細な説明】
【技術分野】
【０００１】
本発明は、水洗便器に関する。
【背景技術】
【０００２】
本出願人は、オゾン水を生成するオゾン水生成手段と、オゾン水を便器内及びトイレ空間内に噴霧する噴霧手段と、トイレ空間内における人の存在を検知する人体検知手段とを備えた衛生洗浄装置を提案している（例えば、特許文献１参照）。この衛生洗浄装置は、人体検知手段により、トイレ空間からの人の退室を検知したときにオゾン水を便器内及びトイレ空間内に噴霧することで、微生物の増殖を抑えるとともに悪臭の発生を抑えることができる。
【先行技術文献】
【特許文献】
【０００３】
【特許文献１】特開２００９−１３８３５９号公報
【発明の概要】
【発明が解決しようとする課題】
【０００４】
便器内及びトイレ空間内に噴霧されたオゾン水が微生物の増殖の抑制及び悪臭の発生の抑制に有効なオゾン水（以下、実効オゾン水とも称する。）であるためには、オゾンの自己分解を考慮して実効オゾン水よりもオゾン濃度の高いオゾン水を生成しておく必要がある。
【０００５】
しかしながら、実効オゾン水よりもオゾン濃度の高いオゾン水を生成することは不経済である。このため、実効オゾン水のオゾン濃度と同程度かやや高いオゾン水を生成し、オゾン濃度をできるだけ低下させないようにして便器のボウルに供給することが望まれている。
【０００６】
本発明は、以上のとおりの事情に鑑みてなされたものであり、便器のボウルに供給されるオゾン水のオゾン濃度の低下を抑えることができる水洗便器を提供することを課題としている。
【課題を解決するための手段】
【０００７】
上記の課題を解決するために、本発明の水洗便器は、ボウルを有する便器本体と、前記ボウルに洗浄水を送る洗浄水供給路を有し、この洗浄水供給路を通じて前記ボウルに洗浄水を供給する洗浄水供給部と、オゾン水を生成するオゾン水生成部と、前記オゾン水生成部で生成したオゾン水を前記ボウルに送るオゾン水供給路を有し、このオゾン水供給路を通じて前記ボウルにオゾン水を供給するオゾン水供給部と、人体を検知する人体検知部と、前記オゾン水生成部でのオゾン水の生成を制御する制御部とを備え、前記制御部は、前記人体検知部の人体検知を受けて前記オゾン水生成部でのオゾン水の生成を開始させることを特徴とする
この水洗便器においては、前記制御部は、さらに、前記洗浄水供給部からの前記ボウルへの洗浄水の供給又は供給停止と連動して前記オゾン水供給部からの前記ボウルへのオゾン水の供給時期を制御することが好ましい。
【０００８】
また、この水洗便器においては、前記オゾン水供給部のオゾン水供給路は、前記洗浄水供給部の洗浄水供給路の途中に接続されており、オゾン水が前記洗浄水供給路を経由して前記ボウルに供給されることが好ましい。
【発明の効果】
【０００９】
本発明によれば、便器のボウルに供給されるオゾン水のオゾン濃度の低下を抑えることができる。
【図面の簡単な説明】
【００１０】
【図１】本発明の水洗便器の一実施形態を例示した縦断面図である。
【図２】本発明の水洗便器に含まれるオゾン水生成部の一実施形態を例示した概要断面図である。
【発明を実施するための形態】
【００１１】
図１は、本発明の水洗便器の一実施形態を例示した縦断面図である。
【００１２】
水洗便器１は、便器本体１０、洗浄水供給部３、オゾン水生成部５、オゾン水供給部６、人体検知部８及び制御部９を備えている。
【００１３】
便器本体１０は、樹脂製又は陶器製とされており、スカート部１１の内部にボウル２を有して形成されている。ボウル２は、開口部１２から後方に向かって屈曲して延びるトラップ１３を有しており、開口部１２にはトラップ１３によりエアートラップを形成するための水が滞留可能とされている。さらに、ボウル２の開口部１２の上端縁にはリム１４が形成されており、ボウル２の開口部１２の後方には、後述する貯水タンク２２を載置可能な載置面１０ａが形成されている。
【００１４】
便器本体１０は、使用者が着座可能な便座１５及び便蓋１６をも備えている。便座１５は、ボウル２の開口部１２の上方においてヒンジによって上下に開閉自在とされている。便座１５を閉じた状態では、便座１５とボウル２のリム１４とが当接する。便蓋１６は、便座１５の上方においてヒンジによって上下に開閉自在とされている。便蓋１６はボウル２の上方を覆い、ボウル２の開口部１２を開放又は閉鎖可能にしている。
【００１５】
洗浄水供給部３は、ボウル２に洗浄水を送る洗浄水供給路４を有し、この洗浄水供給路４を通じてボウル２に洗浄水を供給する。
【００１６】
便器本体１０の後部には洗浄水供給路４を形成する洗浄水供給管２０の一端が接続され、他端は水道管に接続される。洗浄水供給管２０には上流側から電磁弁２１、貯水タンク２２及び吐出口２３が順次設けられている。水道管から供給される水は、電磁弁２１を開放することによって貯水タンク２２に貯められ、洗浄水として吐出口２３からリム１４に沿って図１中の矢印Ｆ方向に一定量吐出され、ボウル面２ａを旋回しながらボウル２内に供給される。洗浄水供給管２０には洗浄水供給路４内の負圧時の逆流を防ぐために、バキュームブレーカ２４が設けられてもいる。
【００１７】
洗浄水供給管２０のバキュームブレーカ２４と電磁弁２１との間の分岐部３１には分岐配管３０の一端が接続されている。分岐配管３０の途中には上流側から逆止弁３２、電磁弁３３、オゾン水生成部５及び電磁弁３４が順次設けられている。分岐配管３０の他端は洗浄水供給管２０の合流部３５に接続されている。本実施形態では吐出口２３が合流部３５として形成されてもいる。分岐配管３０においてオゾン水生成部５の下流側の部分がオゾン水供給路７を形成する。水道管から供給される水は、電磁弁３３を開放することによってオゾン水生成部５に導入されてオゾン水が生成される。このオゾン水は、電磁弁３４を開放することによって洗浄水供給路４に導入され、ボウル２内に供給される。オゾン水供給路７のオゾン水は、洗浄水供給路４を流れる水と合流し、ボウル２に供給される。洗浄水供給路４に水道管からの水が流通していない状態でオゾン水供給路７のオゾン水を洗浄水供給路４に流し、そのオゾン水のみをボウル２に供給することもできる。
【００１８】
オゾン水生成部５は、図２の概要断面図に例示したように、流入口５１、流出口５２、オゾン発生器５３及び溶解部５４を有する形態を例示することができる。水道管から供給される水は、流入口５１を通じてオゾン水生成部５の内部に流入し、オゾン発生器５３によって電気分解される。水の電気分解によってオゾンガスが生成し、溶解部５４において水に溶解してオゾン水として貯水される。溶解部５４に貯水されたオゾン水は、流出口５２から分岐配管３０へと流出する。
【００１９】
オゾン発生器５３の具体的な構成は特に限定されず、電極５５（陽極及び陰極）を介して水を電気分解してオゾンガスを生成する電解方式のものを適宜採用することができる。より具体的には、例えばオゾン発生器５３は、電源Ｅと接続した電極５５（陽極及び陰極）との間をイオン交換膜Ｍで仕切る構造を有するものを例示することができる。このようなイオン交換膜Ｍとしては、耐オゾン性を有する公知の材料を適宜採用することができる。例えば、ポリテトラフルオロエチレンなどを基体としたものを例示することができる。また、陽極及び陰極は、オゾン水の生成に適した適宜な材料を組み合わせて使用することができる。具体的には、陽極の材料としては、ダイヤモンド、金、白金などを例示することができ、陰極の材料としては、ダイヤモンド、ステンレス、金、銀、白金、チタンなどを例示することができる。なかでもダイヤモンド電極は、電気分解によって発生する水素と酸素の発生を抑制することができ、オゾン水を効率よく生成できるため特に好ましい。
【００２０】
人体検知部８は、使用者がトイレ空間に入室したときや便座に着座したときなどに人体を検知し、検知信号を生成し、後述する制御部９に送信する。人体検知部８は、例えば赤外線方式などの各種のセンサを備えたものとすることができる。人体検知部８は、図１では便器本体１０の前部に設けられているがその配置箇所は人体を検知できれば特に制限されない。人体検知部８はセンサ以外の方式で人体を検知するものであってもよい。例えば、トイレの照明に連動して使用者の存在を検知する方式とすることもできる。
【００２１】
制御部９は、オゾン水生成部５でのオゾン水の生成を制御する。この制御部９は人体検知部８からの人体検知に関する情報に基づいてオゾン水の生成の開始時期を制御するものであり、人体検知部８、電磁弁３３及びオゾン水生成部５と電気的に接続されている。
【００２２】
制御部９は、人体検知部８からの検知信号が入力されると、電磁弁３３に開コマンドを送信し、電磁弁３３を開放させる。電磁弁３３の開放により水道管からの水がオゾン水生成部５の内部に流入する。また制御部９は、オゾン発生器５３の電源ＥのＯＮコマンドをオゾン水生成部５に送信する。これによって、水が電気分解されてオゾンガスが生成する。生成したオゾンガスは水に溶解してオゾン水として溶解部５４に貯水される。このように制御部９は、人体検知部８の人体検知を受けてオゾン水生成部５でのオゾン水の生成を開始させる。
【００２３】
制御部９においては、オゾン水の生成が開始されてからあらかじめ設定した時間が経過した後、オゾン発生器５３の電源ＥをＯＦＦにしてオゾン水生成部５でのオゾンガスの生成を停止するように設定することもできる。
【００２４】
微生物の増殖を抑制し悪臭の発生を抑制するためにはオゾン濃度の低下を抑えた状態でオゾン水をボウル２に供給することが効果的である。人体検知を受けてオゾン水が生成されてからそのオゾン水をボウル２に供給するまでの時間は人体検知前にオゾン水をあらかじめ生成しておいた場合と比べて短くなっている。オゾンは自己分解し易いため、オゾン水生成後の経過時間を短くすればオゾン水のオゾン濃度の低下度合いを小さくすることができる。本実施形態の水洗便器１においては、オゾン水生成後の経過時間が短くなっているので、ボウル２に供給されるオゾン水のオゾン濃度の低下が抑えられている。こうして例えば、比較的高濃度（例えば、０．５ｍｇ／Ｌ〜１．５ｍｇ／Ｌ程度）のオゾン水がボウル面２ａに到達するように生成したオゾン水をオゾン濃度の低下を抑えつつボウル２に供給することができる。これによって、ボウル面２ａにおける微生物の増殖や悪臭の発生を効果的に抑制することができる。なお、ここでいうオゾン水のオゾン濃度の低下とは、オゾンの自己分解によるオゾン濃度の低下を意図するものであり、オゾン水と水との合流によるオゾン濃度の低下を意図しない。
【００２５】
本実施形態では、分岐配管３０を洗浄水供給管２０に接続して、オゾン水供給部６のオゾン水供給路７を洗浄水供給部３の洗浄水供給路４の途中に接続している。洗浄水供給路４を通じてオゾン水が供給されるので、ボウル面２ａにオゾン水が効果的に到達する。これによって、ボウル面２ａにおける微生物の増殖や悪臭の発生をより効果的に抑制することができる。また、オゾン水供給部６のオゾン水供給路７を洗浄水供給部３の洗浄水供給路４の途中に接続することで、便器本体１０のスペースを有効に活用することができ、洗浄水供給部３及びオゾン水供給部６の小型化を図ることができる。
【００２６】
また、本実施形態ではオゾン水のボウル２への供給及び供給停止は電磁弁３４の開閉によって行われるが、その開閉のタイミングは洗浄水供給部３からのボウル２への洗浄水（水）の供給又は供給停止と連動したものとすることができる。例えば、洗浄水供給部３からボウル２への洗浄水の供給が終了する間際に電磁弁３４を開放して洗浄水供給路４を流れる洗浄水にオゾン水を合流させることができる。洗浄水供給部３からボウル２への洗浄水の供給が終了してからあらかじめ設定した時間が経過した後、電磁弁３４を開放してオゾン水のみをボウル２に供給することもできる。また、オゾン水のボウル２への供給は、噴霧により供給することもできる。このような電磁弁３４の開閉の制御も制御部９で行うことができる。この場合、使用者から水洗便器１の洗浄操作を受けてボウル２への洗浄水の供給を開始する制御部及び電磁弁３４と制御部９とを電気的に接続することが考慮される。このように本実施形態の水洗便器１は、洗浄水供給部３からのボウル２への洗浄水の供給又は供給停止と連動してオゾン水供給部６からのボウル２へのオゾン水の供給時期を制御することができる。これによって、オゾン水を効率よくボウル２に供給することができる。
【００２７】
本発明の水洗便器は、以上の実施形態に限定されるものではない。上記した実施形態では、貯水タンク内の水を用いてボウル洗浄する形態を説明したが、水道管に直結した、いわゆるタンクレス方式の水洗便器に適用することもできる。
【符号の説明】
【００２８】
１  水洗便器
２  ボウル
３  洗浄水供給部
４  洗浄水供給路
５  オゾン水生成部
６  オゾン水供給部
７  オゾン水供給路
８  人体検知部
９  制御部
１０  便器本体
【図１】
2014173339.tif 000003
【図２】
2014173339.tif 000004